(57)【要約】【課題】安定して紙葉類のデータを取得することが出来る紙葉類処理装置、及び、紙葉類処理方法を提供する。【解決手段】紙葉類処理装置１は、基準データを予め記憶し、紙葉類１０を搬送し、基準色部材３４を使用類の搬送エリアを外れて設け、搬送される前記紙葉類１０及び前記基準色部材３４に投光し、前記基準色部材３４により反射された反射光を受光して電気信号に変換して比較データを取得し、前記紙葉類１０により反射された反射光を受光して電気信号に変換して紙葉類データを取得し、比較データと、記憶している基準データとから補正値を算出し、算出した補正値により、紙葉類データを補正する。【選択図】      図２
2009134594.tif 000002
【特許請求の範囲】
【請求項１】
基準データを予め記憶している記憶手段と、
紙葉類を搬送する搬送手段と、
前記搬送手段による紙葉類の搬送エリアを外れて設けられた基準色部材と、
前記搬送手段により搬送される紙葉類及び前記基準色部材に投光する光源と、
前記基準色部材により反射された反射光を受光して電気信号に変換して比較データを取得する第１の取得手段と、
前記紙葉類により反射された反射光を受光して電気信号に変換して紙葉類データを取得する第２の取得手段と、
前記第１の取得手段により取得した前記比較データと、前記記憶手段により記憶されている前記基準データとから補正値を算出する補正値算出手段と、
前記補正値算出手段により算出した補正値により、前記第２の取得手段により取得した前記紙葉類データを補正する補正手段と、
を具備する紙葉類処理装置。
【請求項２】
前記搬送手段によって搬送される紙葉類を摺接してガイドするガイド手段をさらに具備し、
前記基準色部材は、前記ガイド手段の前記紙葉類の搬送エリア外に延出した延出端部に前記取得手段と向かい合って設けられている請求項１に記載の紙葉類処理装置。
【請求項３】
前記補正値算出手段は、前記第１の取得手段により取得した前記比較データの前記記憶手段により記憶されている前記基準データに対する利得を補正値として算出する手段を具備する請求項１に記載の紙葉類処理装置。
【請求項４】
前記基準色部材は、白色の基準となる標準白色部を具備し、
前記記憶手段は、真の白色から取得したデータを前記基準データとして予め記憶する手段を具備する、
請求項１に記載の紙葉類処理装置。
【請求項５】
前記記憶手段により記憶されている前記基準データは、真の白色の画像であり、
前記第１の取得手段により取得する前記比較データは、前記基準色部材から取得した基準色部材の画像であり、
前記第２の取得手段により取得する前記紙葉類データは、前記紙葉類から取得した紙葉類の画像である、
請求項１乃至４のいずれかに記載の紙葉類処理装置。
【請求項６】
基準データを予め記憶し、
紙葉類を搬送し、
前記紙葉類の搬送エリアを外れて基準色部材を設け、
前記搬送される紙葉類及び前記基準色部材に投光し、
前記基準色部材により反射された反射光を受光して電気信号に変換して比較データを取得し、
前記紙葉類により反射された反射光を受光して電気信号に変換して紙葉類データを取得し、
前記基準色部材から取得した前記比較データと、前記予め記憶されている前記基準データとから補正値を算出し、
前記算出した補正値により、前記紙葉類から取得した前記紙葉類データを補正する、
紙葉類処理方法。
【請求項７】
前記基準色部材から取得した前記比較データの前記基準データに対する利得を補正値として算出する請求項６に記載の紙葉類処理方法。
【発明の詳細な説明】
【技術分野】
【０００１】
本発明は、例えば、搬送される紙葉類の鑑査を行なう紙葉類処理装置、及び、紙葉類処理方法に関する。
【背景技術】
【０００２】
従来、有価証券、または紙幣などの紙葉類を計数及び鑑査し、この鑑査結果に応じて施封処理や裁断処理を行なう機器本体と、この機器本体とＵＳＢもしくはＬＡＮなどのケーブルにより接続され、上記機器本体の計数情報を管理する管理端末とからなる紙葉類検査装置（紙葉類処理装置）が実用化されている。
【０００３】
このような紙葉類処理装置では、投入部に投入された紙葉類を１枚ずつ取り込み、取り込んだ紙葉類を搬送ベルトによって挟持して読取装置に搬送し、この読取装置により紙葉類の表面から読み取った情報に基づいて、紙葉類を区分して集積する。
【０００４】
紙葉類処理装置の読取装置として、紙葉類に対して光を投光し、紙葉類の表面により反射された反射光を受光してデータ（紙葉類の画像）を取得するものがある。しかし、例えば、ランプの光量が低下して、読み取った画像が全体的に暗くなる場合がある。そこで、紙葉類の画像を安定して取得する為に、紙葉類に摺接する位置に設置された白色の基準となる標準白色板（基準色部材）と、この標準白色板から読み取った画像を白色の基準として紙葉類の画像を補正するＡｕｔｏ  Ｇａｉｎ  Ｃｏｎｔｒｏｌ（ＡＧＣ）回路とを備えた紙葉類処理装置が提供されている（例えば、特許文献１参照）。
【特許文献１】特開平６−７２５９４号公報
【発明の開示】
【発明が解決しようとする課題】
【０００５】
しかし、上記した従来の紙葉類処理装置は、標準白色板が搬送される紙葉類に摺接する位置に設置されている為、紙葉類の表面のインクが標準白色板に付着してしまい、安定してデータを取得することが出来ない場合があるという問題がある。
【０００６】
そこで、本発明の一形態は、上記した問題点を解決するものであり、安定して紙葉類のデータを取得することが出来る紙葉類処理装置、及び、紙葉類処理方法を提供することにある。
【課題を解決するための手段】
【０００７】
本発明の一実施形態としての紙葉類処理装置は、基準データを予め記憶している記憶手段と、紙葉類を搬送する搬送手段と、前記搬送手段による紙葉類の搬送エリアを外れて設けられた基準色部材と、前記搬送手段により搬送される紙葉類及び前記基準色部材に投光する光源と、前記基準色部材により反射された反射光を受光して電気信号に変換して比較データを取得する第１の取得手段と、前記紙葉類により反射された反射光を受光して電気信号に変換して紙葉類データを取得する第２の取得手段と、前記第１の取得手段により取得した前記比較データと、前記記憶手段により記憶されている前記基準データとから補正値を算出する補正値算出手段と、前記補正値算出手段により算出した補正値により、前記第２の取得手段により取得した前記紙葉類データを補正する補正手段とを具備する。
【０００８】
また、本発明の一実施形態としての紙葉類処理方法は、基準データを予め記憶し、紙葉類を搬送し、前記紙葉類の搬送エリアを外れて基準色部材を設け、前記搬送される紙葉類及び前記基準色部材に投光し、前記基準色部材により反射された反射光を受光して電気信号に変換して比較データを取得し、前記紙葉類により反射された反射光を受光して電気信号に変換して紙葉類データを取得し、前記基準色部材から取得した前記比較データと、前記予め記憶されている前記基準データとから補正値を算出し、前記算出した補正値により、前記紙葉類から取得した前記紙葉類データを補正する。
【発明の効果】
【０００９】
この発明の一形態によれば、安定して紙葉類のデータを取得することが出来る紙葉類処理装置、及び、紙葉類処理方法を提供することができる。
【発明を実施するための最良の形態】
【００１０】
以下、図面を参照しながら、本発明の一実施形態に係る紙葉類処理装置、及び、紙葉類処理方法について詳細に説明する。
【００１１】
図１は、紙葉類処理装置１の構成例を概略的に示す図である。紙葉類処理装置１は、例えば、サイズや図柄などが異なる複数種類の紙葉類（ここでは、各紙葉類は長方形状であるものとする）が一括して投入され、投入された全ての紙葉類の画像を取得し、取得した画像に基づいて各紙葉類の種別を判定し、各紙葉類を種別ごとに分類して集積などの処理を行うものである。
【００１２】
紙葉類処理装置１は、第１モジュール１Ａと第２モジュール１Ｂと第３モジュール１Ｃとから構成されているものとする。第１モジュール１Ａは、主に、オペレータによる操作、紙葉類の取出し、紙葉類に対する検査及び鑑査などを行うものである。第２モジュール１Ｂは、主に、紙葉類の集積及び施封を行うものである。第３モジュール１Ｃは、主に、紙葉類の集積、施封、及び裁断を行うものである。
【００１３】
紙葉類処理装置１には、複数の紙葉類が一括投入される投入部３５が設けられている。この投入部３５は、全ての紙葉類の長手方向に沿った下端辺（一方の長端辺）をステージに当接せしめて整位するとともに、ステージに沿って紙葉類の面方向に図示しないバックアッププレートを移動せしめる。これにより、投入部３５内の紙葉類は、取出し部３５ａへ移動する。この取出し部３５ａは、一対の取出しローラにより構成される。この一対の取出しローラが回転すると、ステージ上の紙葉類は、端のものから順に搬送手段としての搬送路３６上に取出される。この搬送路３６は、主搬送路３６ａと、その主搬送路３６ａから各ゲートＧ（Ｇ１１、Ｇ２１、Ｇ２２、Ｇ５１、Ｇ５２、Ｇ５３）により分岐される複数の分岐搬送路３６ｂ〜３６ｈとにより構成される。
【００１４】
また、紙葉類処理装置１は、装置内部に制御部１１を具備している。制御部１１は、当該紙葉類処理装置１の全体の制御を司るものであり、ＣＰＵ、ＣＰＵの作業領域として機能するＲＡＭなどのバッファメモリ、ＣＰＵが実行する種々のプログラムや制御データなどが記憶されているＲＯＭなどのプログラムメモリ、あるいは不揮発性メモリなどから構成される。制御部１１は、ＣＰＵがプログラムメモリに記憶されているプログラムを実行することにより種々の機能を実現している。例えば、制御部１１は、紙葉類に対する処理の実行、停止、再開などの動作を制御する。また、制御部１１は、例えば集計装置などの外部機器とのデータ通信などを行う。
【００１５】
投入部３５直後の主搬送路３６ａ上には、図示しない整列整位部が設けられている。整列整位部は、取出し部３５ａにより主搬送路３６ａ上に取出された紙葉類のスキューやシフトに起因した不具合を防止するため、各紙葉類のスキューおよびシフトを補正するものである。さらに、整列整位部直後の主搬送路３６ａ上には、紙葉類の種類、表裏、天地、汚れや破損の有無等の特徴を検出する検査ユニット３７が設けられている。この検査ユニット３７は、例えば、光学検知部３７ａなどの複数の検査部を有する。光学検知部３７ａは、搬送されている紙葉類を撮像することにより紙葉類の画像を取得する機能を有し、例えば、Ｃｈａｒｇｅ−Ｃｏｕｐｌｅｄ  Ｄｅｖｉｃｅ（ＣＣＤ）などを具備している。
【００１６】
また、検査ユニット３７は、各検査部による検出結果を制御部１１へ出力する。制御部１１は、検査ユニット３７によって紙葉類の画像を取得し、取得した画像に基づいて紙葉類の検査を行なう。即ち、制御部１１は、紙葉類が正券か損券か排除券かを判別する。また、制御部１１は、正券と判別した紙葉類をどの集積装置に集積するかを判定するため、正券と判別した紙葉類の種類などを判別する。さらに、制御部１１は、集積、及び裁断した紙葉類の種類毎の枚数を計数する計数処理を行なう。
【００１７】
検査ユニット３７より下流側の主搬送路３６ａ上には、制御部１１による制御に基づいて紙葉類の搬送方向を選択的に切換えるための複数のゲートＧ１１、Ｇ２１、Ｇ２２、Ｇ５１、Ｇ５２、Ｇ５３が設けられている。
【００１８】
最も上流側に設けられたゲートＧ１１は、紙葉類の搬送方向を主搬送路３６ａから分岐搬送路３６ｂとしての排除搬送路へ分岐するものである。このゲートＧ１１を介して分岐された分岐搬送路３６ｂの終端には、排除すべき紙葉類を排除集積するためのリジェクト部Ｒｅｊが設けられている。
【００１９】
このリジェクト部Ｒｅｊへ搬送される排除すべき紙葉類とは、制御部１１により２枚取りが判定された紙葉類などの後段の処理部における処理が不可能であることが判定された紙葉類、及び所定のレベルを超えて大きくスキューしたことが判定された紙葉類などである。また、制御部１１により偽券の可能性があると判定された紙葉類、或は検査ユニット３７において特徴量が検出されなかった紙葉類もリジェクト部Ｒｅｊへ排除される。リジェクト部Ｒｅｊは、投入部３５の近傍に配置され、外部からのアクセスが可能となっている。
【００２０】
また、ゲートＧ１１の下流側の主搬送路３６ａ上には、ゲートＧ２１、Ｇ２２、Ｇ５１、Ｇ５２、Ｇ５３が順に設けられている。ゲートＧ２１は、主搬送路３６ａ上を搬送される紙葉類を集積装置Ａ１への分岐搬送路３６ｃの方向へ分岐搬送させるものである。ゲートＧ２２は、主搬送路３６ａ上を搬送される紙葉類を集積装置Ａ２への分岐搬送路３６ｄの方向へ分岐搬送させるものである。ゲートＧ５１は、主搬送路３６ａ上を搬送される紙葉類を集積装置Ｂ１への分岐搬送路３６ｅの方向へ分岐搬送させるものである。ゲートＧ５２は、主搬送路３６ａ上を搬送される紙葉類を集積装置Ｂ２への分岐搬送路３６ｆの方向へ分岐搬送させるものである。また、ゲートＧ５３は、主搬送路３６ａ上を搬送される紙葉類を損券集積部Ａｕｄへの分岐搬送路３６ｇ、あるいは裁断処理部ＳＤへの分岐搬送路３６ｈの何れかに選択的に振り分けるものである。
【００２１】
各集積装置Ａ１、Ａ２、Ｂ１、Ｂ２は、それぞれ施封処理部４１、帯収納部４２、及び収納部４３を有している。施封処理部４１には、主搬送路３６ａから分岐搬送された紙葉類が所定数に達するまで各紙葉類を順次集積する。施封処理部４１は、紙葉類が所定数に達した場合、帯収納部４２に収納されている帯を用いて所定数に達した紙葉類を束ねる。この帯により束ねられた所定数の紙葉類を１束に束ねる。収納部４３は、施封処理部４１により１束に把ねられた紙葉類を順次収納するものである。通常、収納部４３に収納された段階で当該紙葉類の数が確定する。
【００２２】
また、制御部１１により損券と判定された紙葉類は、主搬送路３６ａ上を搬送されて各ゲートＧ２１、Ｇ２２、Ｇ５１、及びＧ５２を通過し、ゲートＧ５３へ至る。ゲートＧ５３に至った紙葉類は、ゲートＧ５３により選択的に損券集積部Ａｕｄあるいは裁断処理部ＳＤへ搬送される。裁断処理部ＳＤは、損券と判定された紙葉類を裁断するものであり、損券集積部Ａｕｄは、損券と判定された紙葉類の一部を集積し、集積した紙葉類が損券とすべき券であったか否かを検査するものである。
【００２３】
裁断処理部ＳＤは、搬送されてきた紙葉類を全て裁断するものである。これに対して、損券集積部Ａｕｄは、搬送されてきた紙葉類が損券として真に処理すべき券（本当に損券として処理すべき汚い紙葉類）であるか否かを検査するものである。例えば、損券集積部Ａｕｄへの集積率を１０％とする場合、損券集積部Ａｕｄには、１００枚中１０枚の紙葉類が集積される。
【００２４】
また、主搬送路３６ａ及び各分岐搬送路３６ｂ〜３６ｈ上には、複数の検知センサＰ（Ｐ１１〜Ｐ１８、Ｐ２１〜Ｐ２４、Ｐ５１〜Ｐ５６、ＳＤ１Ａ、及びＳＤ１Ｂ）が設けられている。各検知センサＰは、搬送路３６上の紙葉類の有無を検知するものである。各検知センサＰの検知出力は、制御部１１へ供給されるようになっている。従って、制御部１１は、各検知センサＰからの検知出力に基づいて搬送路３６内の紙葉類の位置を判断したり、紙葉類処理装置１内のジャムなどの搬送異常を判断したりできるようになっている。
【００２５】
さらに、紙葉類処理装置１には、投入部３５近傍に、表示部としてのディスプレイパネル３８及び操作部としてのオペレーションパネル３９が設けられている。ディスプレイパネル３８には、オペレータに対する操作案内、あるいは処理状況などを表示される。また、オペレーションパネル３９は、オペレータが操作指示を行うものである。
【００２６】
制御部１１は、搬送路３６、ゲートＧ、取出し部３５ａ、集積装置Ａ１、Ａ２、Ｂ１、Ｂ２あるいは裁断処理部ＳＤなどの各部の駆動機構（図示しない）に接続され、各部の動作を制御するようになっている。また、検知センサＰ、ディスプレイパネル３８、オペレーションパネル３９なども制御部１１に接続されて制御されている。
【００２７】
図２及び３は、図１に示す検査ユニット３７の一部の構成を概略的に説明するための説明図である。図２は、光学検知部３７ａの設置位置付近の搬送路３６ａを上部から見た図である。図３は、光学検知部３７ａの設置位置付近の搬送路３６ａを側部から見た図である。  
図２及び図３に示す様に、検査ユニット３７は、搬送路３６ａ、光学検知部３７ａ、ベース３２、ガイド３３、及び、標準白色板３４などを具備している。光学検知部３７ａは、光源１２、および、ＣＣＤ１３などを具備している。
【００２８】
光源１２は、ハロゲンランプなどの照明装置であり、搬送路３６ａ上の所定の領域に対して投光する。ＣＣＤ１３は、受光した光を電気信号に変換する画素を複数備えており、搬送路３６ａ上の所定の領域を順次撮像することにより、搬送路３６ａにより搬送される紙葉類１０の画像を取得する。即ち、ＣＣＤ１３は、光を受光して各種のデータを取得する取得手段として機能する。光源１２、及びＣＣＤ１３は、図３に示す様に、搬送路３６ａの上部に設置されている。
【００２９】
搬送路３６ａは、上下１対のベルト、若しくは複数のローラなどにより構成され、紙葉類１０を挟み入れて搬送する。ベース３２は、搬送路３６ａに沿うように配置されている。
【００３０】
ガイド３３は、ベース３２に固定され、ベースから紙葉類１０の搬送向きに対して垂直な向きで紙葉類１０の搬送エリアの先まで延出している。ガイド３３は、紙葉類１０と対向する面３３ａを有し、搬送される紙葉類１０に摺接して紙葉類１０の搬送をガイドするガイド手段である。標準白色板（基準色部材）３４は、白色の基準となる標準白色部３４ａを有し、図２に示す様に、ガイド３３の対向面３３ａ側の紙葉類を摺接しない位置、即ち、搬送エリア外に延出した延出端部に設けられている。ガイド３３、及び標準白色板３４は、図３に示す様に、搬送路３６ａの下部に設置されている。また、標準白色板３４が設けられている対向面３３ａ側に光源１２及びＣＣＤ１３が設置されている。
【００３１】
光源１２から投光された入射光は、搬送されている紙葉類１０、あるいは、標準白色板３４の標準白色部３４ａにより反射される。紙葉類１０、あるいは、標準白色板３４により反射された反射光は、ＣＣＤ１３により受光され、電気信号に変換される。即ち、紙葉類１０により反射された反射光は、紙葉類の画像（紙葉類データ）に変換される。また、標準白色板３４により反射された反射光は、白色画像（比較データ）に変換される。制御部１１は、後述するＣＣＤ１３の後段のＡＧＣ回路により、取得した白色画像と予め記憶している基準値としての基準白色画像（基準データ）とに基づいて補正値を算出する。
【００３２】
図４は、図１に示す光学検知部３７ａの構成の例を説明するためのブロック図である。図４に示す様に、光学検知部３７ａは、光源１２、ＣＣＤ１３、増幅器（Ａｍｐ）１４、アナログ／ディジタル変換回路（Ａ／Ｄ回路）１５、シェーディング補正回路１６、及び、ＡＧＣ回路１７を具備している。この光学検知部３７ａの各部は、制御部１１により統括的に制御されている。
【００３３】
Ａｍｐ１４は、ＡＧＣ回路１７によって算出された増幅率（補正値）に応じてＣＣＤ１３からの入力信号を増幅して出力信号として出力する。Ａ／Ｄ回路１５は、入力信号であるアナログ信号をディジタル信号に変換して出力信号として出力する。シェーディング補正回路１６は、予め記憶されているＣＣＤ１３の各画素の特性に基づいて入力信号のムラを補正するシェーディング補正を行なう。ＡＧＣ回路１７は、Ａｍｐ１４において、入力信号のレベルの大小にかかわらず、出力信号のレベルが常に一定になるような増幅率（補正値）を算出して出力する。即ち、ＡＧＣ回路１７は補正値算出手段として機能する。
【００３４】
制御部１１は、上記したように、その内部に記憶手段としての不揮発性メモリ１１ａを備えている。この不揮発性メモリ１１ａには、例えば、真の白色を撮像することにより取得した基準値としての基準白色画像が記憶されている。制御部１１は、ＡＧＣ回路１７により補正値を算出する場合、不揮発性メモリ１１ａに記憶されている基準白色画像と光源１２からの入射光が標準白色板３４の標準白色部３４ａにより反射された反射光をＣＣＤ１３により受光することにより得られた白色画像とに基づいて補正値を算出する。即ち、ＡＧＣ回路１７は、白色画像と、基準白色画像とを比較し、白色画像の基準白色画像に対する利得を算出し、補正値として出力する。
【００３５】
上記の処理により算出された補正値は、制御部１１の不揮発性メモリ１１ａに記憶され、紙葉類１０の鑑査の際に用いられる。補正値が制御部１１の制御によりＡｍｐ１４に増幅率として入力された場合、Ａｍｐ１４は、紙葉類１０から取得した信号を入力された増幅率に基づいて増幅して後段の回路に出力する。即ち、この場合、制御部１１は補正手段として機能する。
【００３６】
なお、基準色部材は白色に限定されない。上記の実施形態では、補正値の算出に基準色部材としての標準白色板３４から取得した白色画像と、真の白色の画像である基準白色画像とを用いるとしたが、基準色部材に対応する色の画像が制御部１１の不揮発性メモリ１１ａに記憶されていれば、基準色部材の色は如何なる色であっても、正確な補正値を算出することが出来る。
【００３７】
図５は、補正値を算出する場合の紙葉類処理装置１の処理を説明するためのフローチャートである。
【００３８】
補正値を算出する場合、制御部１１は、光学検知部３７ａにおいて、光源１２を制御することにより、標準白色板３４に対して光を投光する（ステップＳ１１）。投光された光は、標準白色板３４により反射される。
【００３９】
制御部１１は、ＣＣＤ１３により標準白色板３４により反射された光を受光し、電気信号に変換して白色画像を取得する（ステップＳ１２）。制御部１１は、ＣＣＤ１３により取得した白色画像をＡ／Ｄ回路１５によりディジタル変換する（ステップＳ１３）。制御部１１は、Ａ／Ｄ回路１５によりディジタル変換された白色画像に対してシェーディング補正回路１６によりシェーディング補正を行なう（ステップＳ１４）。
【００４０】
制御部１１は、不揮発性メモリ１１ａより基準白色画像を取得する（ステップＳ１５）。制御部１１は、取得した基準白色画像をＡＧＣ回路１７に送信し、ＡＧＣ回路１７により白色画像と基準白色画像とを比較する（ステップＳ１６）。制御部１１は、ＡＧＣ回路１７により白色画像と基準白色画像とを比較することにより補正値を算出する（ステップＳ１７）。
【００４１】
上述したように、本発明の一実施形態によると、紙葉類処理装置の検査ユニットにおいて、補正値を決定するための標準白色板が紙葉類の搬送エリア外に１つ設置されている。
【００４２】
このように紙葉類の搬送エリア外に標準白色板を設置することにより、標準白色板が紙葉類に摺接することなく、且つ、紙葉類にごく近い位置で光源からの光を反射することができる。これにより、標準白色板に紙葉類のインクなどの汚れが付着することを防ぐことが出来る。この結果として、安定して紙葉類のデータを取得することが出来る紙葉類処理装置、及び、紙葉類処理方法を提供することができる。
【００４３】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００４４】
上記の実施形態では、まず補正値を算出し、算出した補正値を記憶しておき、紙葉類の画像を補正する構成としたが、逐次補正値を算出するようにしてもよい。即ち、標準白色板が搬送エリア外に設置されている為、紙葉類を読み取るのと同時に標準白色板を読み取り、紙葉類毎の補正値を算出することができる。これにより、逐次変化する環境に関わらず、紙葉類の画像を安定して取得することが出来る。
【図面の簡単な説明】
【００４５】
【図１】図１は、本実施形態に係わる鑑査機本体の構成例を概略的に示す図である。
【図２】図２は、図１に示す検査ユニットの一部を上部から見た場合の構成を概略的に説明するための説明図である。
【図３】図３は、図１に示す検査ユニットの一部を側部から見た場合の構成を概略的に説明するための説明図である。
【図４】図４は、図１に示す光学検知部の構成の例を説明するためのブロック図である。
【図５】図５は、補正値を算出する場合の紙葉類処理装置の処理を説明するためのフローチャートである。
【符号の説明】
【００４６】
１…紙葉類処理装置、３…携帯可能電子装置、１０…紙葉類、１１…制御部、１１ａ…不揮発性メモリ、１２…光源、１３…ＣＣＤ、１４…Ａｍｐ、１５…Ａ／Ｄ回路、１６…シェーディング補正回路、１７…ＡＧＣ回路、３２…ベース、３３…ガイド、３４…標準白色板、３５…投入部、３６…搬送路、３７…検査ユニット、３７ａ…光学検知部。
【図１】
2009134594.tif 000003
【図２】
2009134594.tif 000004
【図３】
2009134594.tif 000005
【図４】
2009134594.tif 000006
【図５】
2009134594.tif 000007